(57)【特許請求の範囲】
【請求項１】
一つ目のタイプの枕は、ドーナツの形状をした空気枕（１）であり、前記空気枕（１）には逆止弁付き空気取り入れ口（３）を有し、更に前記空気枕（１）の左右には耳を有し、前記耳に固定具（２）を設けているドーナツ型空気枕であり、
二つ目のタイプの枕は、ソバカス枕の左もしくは右のどちらかの一端にヒダ（５）を有し、前記ヒダ（５）に固定具（２）を付ける、
また前記ソバカス枕の上面２カ所の表面に固定具（２）を付ける、
更に前記ソバカス枕の上に前記ドーナツ型空気枕を乗せ、前記ドーナツ型空気枕の左右の耳に付けた固定具（２）と前記ソバカス枕の上面２カ所の表面の固定具（２）を合わせて固定して、
上段には前記ドーナツ型空気枕があり、下段には前記ソバカス枕が位置する
２段枕を形成する、
前記一つ目のタイプのドーナツ型空気枕1個と前記二つ目のタイプの２段枕２個を準備し、左側に前記２段枕、中心部に前記ドーナツ型空気枕、右側に前記２段枕を並べて、左側の前記２段枕の下段にあるソバカス枕のドーナツ型空気枕側にある一端のヒダに付けた前記固定具（３）とドーナツ型空気枕の左側の耳に付けた前記固定具（３）を固定し、右側の前記２段枕の下段にあるソバカス枕のドーナツ型空気枕側にある一端のヒダに付けた前記固定具（３）とドーナツ型空気枕の右側の耳に付けた前記固定具（３）を固定することにより、３つの枕より構成されることを特徴とする首の痛みを解消できる複合枕。
【請求項２】
請求項１にある枕と枕を固定具により固定する方法として、ボタンもしくは面フ ァスナーを使うこともしくは糸により縫合することの何れか一つの方法により枕        と枕を固定することを特徴とする請求項１の首の痛みを解消できる複合枕。
【発明の詳細な説明】
【技術分野】
【０００１】
本発明は、首の痛みを解消するための枕を提供する。
【背景技術】
【０００２】
左右への寝返りやうつ伏せを簡単にできる仰臥、横臥兼用の枕は使われていた          。（例えば、特許文献１参照）ただし、枕の上に頭を乗せた時に頭が安定しな          いため、首の痛い時には、使えないものであった。
【先行技術文献】
【特許文献】
【０００３】
【特許文献１】実用新案登録  第３０７２５２９号
【発明の概要】
【発明が解決しようとする課題】
【０００４】
ソバカスやプラスチックやストローを短く切ったものを袋の中に詰め込んでい          る枕が多くみられ、この場合、枕の中の偏りにより、柔らかい部分と固い部分          ができ、頭を乗せると頭と枕の密着性が悪い、仰臥、横臥に成る時に容易に高          さ調整ができない、ごつごつして頭が不安定になる、これらの理由で首が痛い          時には使えない。そこで、首の痛い人向けの枕が望まれている。また、首の痛          みがある時に、痛みを感じないで寝返りやうつ伏せをすることができる枕が望          まれている。
【課題を解決するための手段】
【０００５】
一つ目のタイプの枕は、図２のように合成ゴム製のドーナツの形状をした空気          枕（１）を考案した。前記空気枕は、ドーナツの形状をした空気枕（１）であ          り、前記空気枕（１）には逆止弁付き空気取り入れ口（３）を有し、更に前記          空気枕（１）の左右には耳を有し、前記耳に固定具（２）を設けている。
【０００６】
二つ目のタイプの枕は、図３のように、ソバカス枕の左もしくは右のどちらかの一端にヒダ（５）を有し、前記ヒダ（５）に固定具（２）を付ける、また前記ソバカス枕の上面２カ所の表面に固定具（２）を付ける、
更に前記ソバカス枕の上に前記ドーナツ型空気枕を乗せ、前記ドーナツ型空気枕の左右の耳に付けた固定具（２）と前記ソバカス枕の上面２カ所の表面の固定具（２）を合わせて固定して、上段には前記ドーナツ型空気枕があり、下段には前記ソバカス枕が位置する２段枕を形成している。
【０００７】
請求項１の本発明は、図１のように、前記一つ目のタイプのドーナツ型空気枕        1個と前記二つ目のタイプの２段枕２個を準備し、左側に前記２段枕、中心部に 前記ドーナツ型空気枕、右側に前記２段枕を並べて、左側の前記２段枕の下段に あるソバカス枕のドーナツ型空気枕側にある一端のヒダに付けた前記固定具（３ ）とドーナツ型空気枕の左側の耳に付けた前記固定具（３）を固定し、右側の前 記２段枕の下段にあるソバカス枕のドーナツ型空気枕側にある一端のヒダに付け た前記固定具（３）とドーナツ型空気枕の右側の耳に付けた前記固定具（３）を 固定することにより、３つの枕より構成されることを特徴とする首の痛みを解消        できる複合枕を造ることができる。
【０００８】
請求項２の本発明は、請求項１にある枕と枕を固定具により固定する方法とし        て、ボタンもしくは面ファスナーを使うこともしくは糸により縫合することの何        れか一つの方法によりソバカス枕の上にドーナツ型枕を乗せて固定する及び、ド        ーナツ型枕と２段枕を固定する、ことで首の痛みを解消することのできる複合枕        が得られる。
【発明の効果】
【０００９】
図６のように、ドーナツ型空気枕（１）の空洞部に後頭部がぴったりと入るこ        とで、頭の位置が安定し、首を固定することができるため首の痛みが解消できる        と共に、気持まで落ち着くことができる。
【００１０】
また、図7のように、ドーナツ型空気枕（１）と後頭部の接触する面積が、通          常の枕に比べて少ないため、夏の汗かきやムレが少なく、快適に寝ることがで          きる。
【００１１】
首の痛い人が横を向く時は、右でも左でもそのまま横の２段枕に移ることで          、首の痛みを感じないで、簡単に寝返りをすることができる。
【００１２】
ドーナツ型空気枕（１）に横向きに寝た時には空洞部に耳たぶが入り、テレビ          の音声が聞きやすいと共にイヤホンを使ってテレビを見る時は、イヤホンが邪          魔にならずに使うことができる。
【００１３】
うつ伏せで寝る場合には、図９のように、両サイドの２段枕を手前に寄せて両          わきで抱え込み、ドーナツ型空気枕（1）の、X印（１３）の部分にアゴを乗          せ、更にアゴの下側に両手の甲を重ねて入れ、空気マクラを挟んでアゴと両手          甲が重なるようにする。手の甲はアゴを乗せた時にアゴの高さを調節する役目          をし、空気枕がクッションとなり両脇に抱え込んだ２段枕の方がドーナツ型空          気枕より高いため両脇、肩に体重が掛り、首にかかる力が軽減されるので、首          の痛いときでも楽にうつ伏せの姿勢をとることができる。
【図面の簡単な説明】
【００１４】
【図１】本発明の複合枕の図である。
【図２】ドーナツ型空気枕の図である。
【図３】ソバカス枕にドーナツ型枕を重ねた２段枕を示す斜視図である。
【図４】ソバカスを入れた袋にチヤックや固定具を付けたソバカス枕の断面                    図である。
【図５】本発明の複合枕の断面図である。
【図６】本発明の複合枕に寝た時の図である。
【図７】上向きで寝ているときの後頭部とドーナツ型空気枕の位置を示す図                    である。
【図８】裏返した複合枕の図である。
【図９】うつ伏せになる際に２段枕を折り曲げた時の図である。
【図１０】枕カバーを付けた図である。
【図１１】ドーナツ型空気枕の断面図である。
【図１２】ドーナツ型空気枕に空気を入れるポンプである。
【図１３】２段枕の断面図である。
【発明を実施するための形態】
【００１５】
以下本発明の実施をするための形態について説明する。
本発明は、２つのタイプの枕を組み合わせることで、首の痛みを解消すること          ができる。１つ目のタイプは、図２のように合成ゴム製のドーナツ型空気枕を          考案した。ドーナツ型空気枕は、逆止弁付き空気取り入れ口（３）を有し、枕          の高さ、弾力性を空気量により調整して後頭部の形に合わせる。また、ドーナ          ツ型空気枕の左右には、合成ゴム製の耳が有り、固定具（２）を取り付ける。          断面図を、図１１に示す。
【００１６】
２つ目のタイプの枕は、図３のように、ソバカスを布製の袋に入れて枕状とし          たソバカス枕の一端に布製の長方形のヒダ（５）を有し、そのヒダに固定具（          ２）を付ける。また、前記ドーナツ型空気枕の固定具（２）に合わせて、ソバ          カス枕の表面に固定具を２か所付ける。前記ヒダ（５）と固定具（２）を付け          たソバカス枕の上に前記ドーナツ型空気枕を重ね、固定具により固定した２段          枕である。また、２段枕の高さや弾力性は、ドーナツ型空気枕の空気量や図４          にあるチャック（７）よりソバカス量を変更することで調整することができる          。断面図を図１３に示す。
【００１７】
請求項１の本発明は、図１のように前記１つ目のタイプと二つ目のタイプを組          み合わせ、真ん中にドーナツ型空気枕を置き、その両側に２段枕を並べ、ソバ          カス枕の一端のヒダに付けた固定具とドーナツ型空気枕の両端にある固定具を          合わせることで固定して、３つの枕を並べて構成されることで、首の痛みを解          消する複合枕を造ることができる。本発明の枕３つを並べた複合枕の断面図を          図５に示す。
【００１８】
空気枕の高さや弾力性を調整するには、まず図２の逆止弁付き空気取り入れ口          （３）の部分に図１２のポンプを使って空気を入れ、図１の真ん中の空気枕（          １）には空気を多めに入れ硬くする。また左右の２段枕の空気枕はやや少なめ          に空気を入れる方が使いやすい。
【００１９】
図４のソバカス枕の袋にチャック（７）が付けてあり、自分の高さに合わせて          、中のソバカス量を変更する。２段枕の上側のドーナツ型空気枕に頭を乗せた          場合、下のソバカスに頭の重さがかかり、かかった方向に沈むので頭首のクセ          にあったように傾き、合わなくなれば揺さぶって安定した位置にする事が出来          るため、２段枕の下段のソバカス枕は出来るだけ低くする方が良い。
【００２０】
図８のように３つの枕を並べた上で表裏をひっくり返すことで、前記二つ目の          タイプのソバカス枕が上段に位置し、その上に後頭部を乗せることで、通常の          枕としても使用することができる。
【００２１】
図１０のように２つ目のタイプの２段枕は、横向きに寝るときに使い、涎な            どで汚れ易いため、枕カバーで覆う。枕カバーで覆うことにより、上下の枕            が固定されて、２段枕が安定する。また、前記一つ目のタイプのドー  ナツ            型空気枕は、汚れにくく水洗いが簡単にできるためカバーを取り付けない状            態が、最終製品の図となる。
【産業上の利用可能性】
【００２２】
図１の３つのドーナツ型空気枕をチューブで連結し、左もしくは右方向から温          かい空気もしくは冷たい空気を流すことで、頭だけを温め、又は冷やすことが          可能になる省エネ型枕になる。
【符号の説明】
【００２３】
１  空気枕
２  固定具
３  逆止弁付き空気取り入れ口
４  ソバカス入り枕
５  ソバカス枕の横に固定具を付けるためのヒダ
６  ソバカス
７  チャック
８  枕カバー
９  空気の注入口
１０  ポンプ
１１  空気を入れる時に押さえる箇所
１２  逆止弁の付いた空気取り入れ口
１３  アゴを乗せる場所
【図１】
0006435444.tif 000002
【図２】
0006435444.tif 000003
【図３】
0006435444.tif 000004
【図４】
0006435444.tif 000005
【図５】
0006435444.tif 000006
【図６】
0006435444.tif 000007
【図７】
0006435444.tif 000008
【図８】
0006435444.tif 000009
【図９】
0006435444.tif 000010
【図１０】
0006435444.tif 000011
【図１１】
0006435444.tif 000012
【図１２】
0006435444.tif 000013
【図１３】
0006435444.tif 000014